(57)【要約】【課題】  埃で目詰まりしたフィルターを清掃する場合に、保存庫の向きを変えたり、保存庫がボックス等の収納ケースに設置されている場合でも、保存庫をボックスから取り出したりすることなく、フィルタを容易に取り外したり、取りつけることができる保存庫を得る。【解決手段】  保存庫の吸気口１５を庫外室の下面を開設して形成し、かつ、庫外室の上部に排気口１６を配置して、送風機２０により下方から吸気口１５、ヒートシンク１２、を通り上方の排気口１６へ排出される空気の流通風路を形成すると共に、ドレンパン４１の後方に吸気口１５に装着するフィルタ３０を一体に形成して、ドレンパン４１を断熱容器１の前方から前後にスライドさせてドレンパン４１を断熱容器１に着脱することに伴い、フィルタ３０を吸気口１５へ着脱できるようにした。【選択図】        図２
2006336906.tif 000002
【特許請求の範囲】
【請求項１】
収納物を所定温度に保存し、排水口を有する断熱容器と、
前記断熱容器の後壁を背面カバーで覆うことにより前記断熱容器の後壁の外側に区画形成され、吸気口と排気口とを有する庫外室と、
ペルチェ素子と利用側熱交換面部と熱源側熱交換面部とを有し、前記断熱容器の後壁に配設され、前記断熱容器内を所定温度に保持するサーモモジュールと、
前記庫外室内に空気を流通させる送風機と、
前記サーモモジュールの前記熱源側熱交換面部及び前記庫外室に導入された前記空気と熱交換するヒートシンクと、
前記断熱容器内で発生したドレン水を前記排水口から受けるように前記断熱容器の下方に配置され、前記断熱容器に対して前後にスライドさせて着脱するドレンパンと、
前記ドレンパンの後方に一体形成され、前記ドレンパンの着脱に伴い前記庫外室の底面に開設した前記吸気口に対して着脱するフィルタとを備え、
前記庫外室の底面に開設した前記吸気口と、前記庫外室の上部に開設した前記排気口と、前記送風機とにより、前記空気を前記吸気口から導入し、前記ヒートシンクを通り上方の前記排気口へ排出する通風路を形成することを特徴とする保存庫。
【請求項２】
前記送風機を前記ヒートシンクと前記庫外室上部の前記排気口との間に配設したことを特徴とする請求項１記載の保存庫。
【請求項３】
前記排気口を前記庫外室の上部後面に開設し、前記庫外室内を流通する空気を前記保存庫の後方に排気するようにしたことを特徴とする請求項１または請求項２記載の保存庫。
【請求項４】
前記ドレンパンを前記断熱容器の前方からスライドさせて押し込んだ時に、前記吸気口近傍で前記フィルタ部分を上方に押し上げて、前記吸気口に前記フィルタを密着させるガイド手段を備えたことを特徴とする請求項１から請求項３のうちのいずれか１項記載の保存庫。
【請求項５】
前記ドレンパンと前記フィルタをそれぞれ別部品として形成後、前記ドレンパンと前記フィルタとを一体に接合したことを特徴とする請求項１から請求項４のうちのいずれか１項記載の保存庫。
【請求項６】
請求項１から請求項５のうちのいずれか１項記載の保存庫を配設した箱状の収納ケースを備え、
前記収納ケースの底板に通風孔を設け、前記通風孔と前記保存庫の前記吸気口と前記ヒートシンクとが略一直線状に並ぶように配置したことを特徴とする保存設備。
【発明の詳細な説明】
【技術分野】
【０００１】
この発明は、サーモモジュールにより庫内を保冷して飲料を冷却保存したり食品を低温保存したりする保存庫、及びその保存庫を収納ケース等に収納して使用する保存設備に関するものである。
【背景技術】
【０００２】
従来の飲食物等を収納した庫内をサーモモジュールにより保冷または保温する保存庫としては、例えば、収納物を所定温度に保存するための断熱容器と、この断熱容器の後壁に配設されたサーモモジュールと、このサーモモジュールの庫内側の面（利用側熱交換面部）に取付けられたアルミ系金属で形成された箱状の吸熱用の内箱と、このサーモモジュールの庫外側の面（熱源側熱交換面部）に取付けられた排熱用のヒートシンクとを有する。
そして、庫内の熱が吸熱用の内箱を介してサーモモジュールによって庫外側の面へ移動し、この移動した熱が放熱用ヒートシンクを介して庫外へ放出されるように、断熱容器の後壁の外側に吸気口、排気口を有するカバーが取付けられて通風路（庫外室）が形成されている。
カバーは庫外室の左右側面部の後方角部が、後方に向かって断熱容器の中央部へ傾斜するように形成され吸気口はその傾斜した面に設けられ、開口部には庫外室に埃が入ることを防ぐために、フィルタが配設されている。また、庫内で発生するドレンを受けるためのドレンパンが断熱容器の下方に設置されている（例えば、特許文献１参照）。
【０００３】
特許文献１記載の保存庫では、庫外室に入る空気中の埃は、フィルタで捕捉され、堆積されるため、フィルタが目詰まりして空気が流れにくくなり、冷却能力が低下する。冷却能力の低下を防ぐためには、フィルタに付着・堆積した埃を除去するために、フィルタを取り外して清掃する必要がある。
【０００４】
従来の保存庫では、空気を流通させるための送風機が吸気口近くにあると、吸気口を通過する空気の流速が速くなり、ごみなどを吸い易くなる。
また、排気口が上面、または斜め上面に向いている場合には、その排気口からごみ等の異物が入り易くなり、ヒートシンクの放熱フィンに異物が付着・堆積して空気を流れにくくする等の問題があった。
更に、ドレン水の排出口が水切り等を目的として断熱容器の底面から突き出ていたり、ネジ等が断熱容器の下方に出ている場合、ドレンパンを挿入するときにぶつかって挿入し難いという問題もあった。
【０００５】
【特許文献１】特開２０００−３０４４０１号公報
【発明の開示】
【発明が解決しようとする課題】
【０００６】
従来の保存庫は以上のように構成されていたので、フィルタが保存庫の後側に装着されているため、フィルタを取り外すには保存庫の向きを変える必要があり、また、保存庫がボックス等の収納ケース内に設置されている場合は、収納ケースから保存庫を取り出さなければならず、人手と時間がかかるという課題があった。
また、保存庫がボックス等の収納ケースに設置されると、空気の通風抵抗が大きくなって、空気が流れにくくなったり、また、排気口から排出された温度の高い排気空気の一部が再び吸気口に流入して、庫外室に流入する空気の温度が周囲温度より高くなり、結果として、冷却能力の低下の原因になるという課題があった。
【０００７】
この発明は上記のような課題を解消するためになされたもので、埃で目詰まりしたフィルタを清掃する場合に、保存庫の向きを変えたり、保存庫がボックス等の収納ケースに設置されている場合でも、保存庫をボックスから取り出したりすることなく、フィルタを容易に着脱することができる保存庫を提供することを目的とする。
また、保存庫がボックス等の収納ケースに入っている場合でも、空気の通風抵抗が大きくならず、また、排気口から排気した空気の一部が再び吸入口に流入することなく、外部の空気をスムーズに庫外室に導入させることができる保存設備を提供することを目的とする。
【課題を解決するための手段】
【０００８】
この発明に係る保存庫は、収納物を所定温度に保存し、排水口を有する断熱容器と、前記断熱容器の後壁を背面カバーで覆うことにより前記断熱容器の後壁の外側に区画形成され、吸気口と排気口とを有する庫外室と、ペルチェ素子と利用側熱交換面部と熱源側熱交換面部とを有し、前記断熱容器の後壁に配設され、前記断熱容器内を所定温度に保持するサーモモジュールと、前記庫外室内に空気を流通させる送風機と、前記サーモモジュールの前記熱源側熱交換面部及び前記庫外室に導入された前記空気と熱交換するヒートシンクと、前記断熱容器内で発生したドレン水を前記排水口から受けるように前記断熱容器の下方に配置され、前記断熱容器に対して前後にスライドさせて着脱するドレンパンと、
前記ドレンパンの後方に一体形成され、前記ドレンパンの着脱に伴い前記庫外室の底面に開設した前記吸気口に対して着脱するフィルタとを備えている。
前記庫外室の底面に開設した前記吸気口と、前記庫外室の上部に開設した前記排気口と、前記送風機とにより、前記空気を前記吸気口から導入し、前記ヒートシンクを通り上方の前記排気口へ排出する通風路を形成する。
【発明の効果】
【０００９】
この発明によれば、ドレンパンの後方に吸気口に装着するフィルタを一体に形成して、ドレンパンを断熱容器の前方から前後にスライドさせてドレンパンを断熱容器に着脱するのに伴い、フィルタを吸気口へ着脱することができる。従って、フィルタやドレンパンの清掃等を行う場合に、着脱を容易に行なうことができる。
空気の吸気口、ヒートシンク、排気口を下から上へ順に並ぶように配置したので、ヒートシンクで加熱された空気が上昇気流となって、空気の流れを引き起こす自然対流によって空気が流れ易くなる。その結果、ヒートシンクから放熱し易くなり、保存庫の冷却性能を向上させることができる。
【発明を実施するための最良の形態】
【００１０】
実施の形態１．
以下、この発明の実施の形態１について説明する。図１は、この発明の実施の形態１に係る保存庫の前方からの外観斜視図である。図２は、図１におけるII−II線断面図である。図３は、この発明の実施の形態１に係る保存庫の正面図である。図４は、図２におけるIII −III 線断面図である。図５は、この発明の実施の形態１に係る保存庫のドレンパンとフィルタの斜視図である。
【００１１】
先ず、本保存庫の構成について図１〜図５を用いて説明する。実施の形態１では、保存庫としてサーモモジュール１０を使用した冷蔵庫を示している。断熱容器１は、内箱２、外箱３、内箱２と外箱３との間に介在するように注入された断熱材４を備えている。内箱２は、熱伝導性がよく腐食に強いアルミ系金属板で形成されている。また、断熱容器１の正面部には開放口が設けられており、この開放口に開閉扉５が設けられている。
【００１２】
サーモモジュール１０は、ペルチェ素子１０ａ、利用側熱交換面部１０ｂ及び熱源側熱交換面部１０ｃを備えている。断熱容器１の後壁において、サーモモジュール１０と略同じ大きさの収納穴が外箱３、断熱材４を貫通し、内箱２を成す金属板を残して形成され、この収納穴内にサーモモジュール１０が配設されている。また、サーモモジュール１０と、内箱２との間に熱伝導性のよいアルミ系合金の伝熱ブロック１１を介在させ、伝熱ブロック１１を内箱２にネジ止めにより熱伝導される状態に接合している。また、サーモモジュール１０の利用側熱交換面部１０ｂと内箱２とをこの伝熱ブロックを介し伝熱可能に接合している。なお、伝熱ブロック１１は、断熱材４の注入により断熱容器１に一体的に固定されている。この伝熱ブロック１１に対し、サーモモジュール１０は、ネジ等により後面側から着脱自在に固定されている。
【００１３】
ヒートシンク１２は、サーモモジュール１０の熱源側熱交換面部１０ｃと熱伝導的に接合されている。ヒートシンク１２は、下側から上側へ縦方向に空気を流通させて熱交換させるように、多数のアルミフィン１２ａが縦方向に配置されている。
【００１４】
背面カバー１３は、ヒートシンク１２を覆い、制御回路構成機器を配設したコントロール基板３１を囲うように折り曲げた構造をしている。そして、風路を形成すると共に、断熱容器１の背面全体をカバーし、断熱容器の後壁外側に庫外室を形成する。
【００１５】
吸気口１５は、背面カバー１３の下部、ヒートシンク１２の下側に位置するように、また、断熱容器１の底面と略同じ面内に位置するように設けられている。
また、排気口１６は、背面カバー１３の後面上部、ヒートシンク１２と略同じ線上で、ヒートシンク１２を通過した空気の流れを遮らないように、ヒートシンク１２の上部から離れた位置に形成されている。
背面カバー１３の上部に位置する排気口１６には、断熱容器１の後ろに向けて空気を排気するように軸流送風機２０が取り付けられている。
【００１６】
排水口４２は、断熱容器１の底部に設けられている。そして、内箱２の内面に形成されたドレン水を、断熱容器１の下方に配設された皿状のドレンパン４１に導く。
【００１７】
台足５０は、図２、図３に示すように、断熱容器１の底面において前後及び左右の合計４箇所に配置されている。台足５０は、それぞれが段差部５４を形成している。そして、この左右の台足５０の段差部５４が向き合うように配置されている。
【００１８】
ドレンパン４１は、図５に示すように、水平面形状が略Ｔ字型を成し、前部の幅寸法を後部の幅寸法より大きくして、ドレン収容量を多くできるようにしている。また、図３に示すように、左右台足５０の段差部５４間の寸法Ｌが、ドレンパン４１の後部幅寸法より若干大きく形成されている。このように構成されていることにより、ドレンパン４１は、その後部が台足５０の段差部５４と断熱容器１の底面との間に前後出し入れ自在にスライド式に挿入されて、取付けられている。
【００１９】
更に、ドレンパン４１は、後部を延設して、庫外室の底面に開設した吸気口１５を覆うようにフレーム３０ａを設け、吸気口１５を空気が流通できるように、かつ、ヒートシンク１２に流入する空気の中に混入する埃等を除去できるように、ネット（網）３０ｂを設けてドレンパン４１と一体にフィルタ３０を構成している。
【００２０】
図６は、この発明の実施の形態１に係る保存庫のドレンパンとフィルタの一体化を説明する斜視図である。ドレンパン４１とフィルタ３０との一体に構成する手段として、図５と図６に示すように、それぞれ別体で成形したドレンパン４１とフィルタ３０とを、フィルタ３０に形成したドレンパン４１の後部に係止する複数の爪形状等の係止手段７０により一体に連結されるようにしている。ドレンパン４１とフィルタ３０とを別々に形成してから一体にしているので、ドレンパン４１とフィルタ３０それぞれを成形する型が小さくてすむ。その結果、成形し易く、ドレンパン４１とフィルタ３０の寸法精度も良くなるという効果がある。
【００２１】
断熱容器１正面の開閉扉５は、内部に中空空間部を備えた外板５ａの中空内部に断熱材５ｃを注入することによって、断熱性能を備えている。庫内側面５ｂは、外板５ａのうち庫内に面する部分である。
【００２２】
実施の形態１は上記のように構成されているので、空気はヒートシンク１２の下部に開口した吸気口１５から流入し、ヒートシンク１２の放熱フィン１２ａの間を通り、排気口１６から流出する。この流れは、下から上に向かって流れるので、自然対流による空気の駆動力によって流通がスムーズに行われる。
【００２３】
また、吸気口１５を覆うフィルタ３０はドレンパン４１と一体に成形され、台足５０で支持されているので、保存庫を収納ケースから出したり、保存庫の方向を変えなくても、ドレンパン取っ手４１ａを掴んで、容易に出し入れができる。
【００２４】
次に、動作について説明する。サーモモジュール１０へ直流電流が印加され、サーモモジュール１０の利用側熱交換面部１０ｂで吸熱作用が行われると共に、軸流送風機２０が運転されて、図２の矢印で示す空気の流れ９０に示すように、空気がフィルタ３０を通過して、吸気口１５から吸入され、背面カバー１３内を流通し、排気口１６から排出される。
【００２５】
従って、断熱容器１内では、伝熱ブロック１１を介して断熱容器１の内箱２が冷却され、断熱容器１内が所定温度にコントロールされる。
【００２６】
サーモモジュール１０の熱源側熱交換面部１０ｃでは、放熱がヒートシンク１２を介し背面カバー１３内を流通する空気との間で行われ、断熱容器１内で吸熱された熱量分が空気に対し放熱される。
【００２７】
空気がフィルタ３０を通過するときに、空気に含まれる埃はフィルタ３０に捕捉される。フィルタ３０に埃が堆積すれば、フィルタ３０を取り外して清掃し、ドレンパン４１にドレン水が溜まれば、ドレンパン４１を引き出してドレン水を廃棄することになる。
【００２８】
庫内設定温度が低い場合には、断熱容器１内が内箱２の表面から冷却されることにより、内箱２表面に結露してドレン水が内箱２底表面に落下して、排水口４２からドレンパン４１に排水される。
【００２９】
実施の形態１では、上記のようにフィルタ３０がドレンパン４１と一体に形成され、台足５０の段差部５４で支持されると共に、スライド自在に取付けられている。従って、保存庫の前方からドレンパン４１を保存庫の前方へ引き出すことで、フィルタ３０も一緒に保存庫から取り外すことができる。また、ドレンパン４１のスライドに別部品を設けることなく台足５０を利用しているので、安価にできるという効果がある。
また、ヒートシンク１２より上部に位置するように、排気口１６を開設した背面カバー１３の排気口１６の内側に軸流送風機２０を設置するようにし、排気口１６を庫外室の上部に開設し、空気を保存庫の後方に排気するようにしている。
【００３０】
図７は、この発明の実施の形態１に係る保存庫のドレンパンとフィルタの装着を説明する断面図で、（ａ）は図２に相当する断面図、（ｂ）はドレンパンとフィルタ部分の要部断面図である。図８はこの発明の実施の形態１に係る保存庫のドレンパンとフィルタの装着を説明する保存庫を下方から見た斜視図である。
【００３１】
図７と図８に示すように、背面カバー１３に開設した吸気口１５の両側に斜めにスライドできるガイド手段８０を設け、ドレンパン４１と一体に構成されたフィルタ３０を挿入するときに、先ず、フィルタ３０の先端がガイド手段８０にあたり、フィルタ３０を更に保存庫前方から押し込むことにより、フィルタ３０の先端部分はガイド手段８０に沿って上方に移動し、最終的に、吸気口１５にフィルタ３０が密着して覆うように装着されるようにしている。
【００３２】
図７（ｂ）に動作を示すように、ガイド手段８０は、ドレンパン４１を断熱容器１の前方からスライドさせて押し込んだ時に、ドレン水の排水口４２より後方の吸気口１５近傍でフィルタ３０部分を上方に押し上げて吸気口１５にフィルタ３０を密着させる。従って、保存庫の下部に排水口４２やネジ等の突出部分があったとしても、フィルタ３０が突出部分を通過する際には、フィルタ３０を突出部分より下方に位置させて、ドレンパン４１に一体に形成したフィルタ３０を断熱容器１の前方からスライドさせてスムーズに着脱できる。また、フィルタ３０を吸気口１５に密着できるように吸気口１５付近で押し上げて吸気口１５にフィルタ３０を装着することができる。
【００３３】
その結果、フィルタ３０と吸気口１５との隙間からゴミ等の侵入が防止される。また、フィルタ３０が上方に移動する分だけ吸気口１５の開口面を上方に配置して保存庫を設置する床面から吸気口１５までの間を広くできるので、空気を吸気口１５から吸い込み易いという効果もある。
【００３４】
以上のように、この実施の形態１によれば、吸気口１５を庫外室の底面に開設し、ドレンパン４１の後方に吸気口１５に装着するフィルタ３０を一体に形成して、ドレンパン４１を断熱容器１の前方から前後にスライドさせてドレンパン４１を断熱容器１に着脱することに伴い、フィルタ３０を吸気口１５へ着脱することができる。従って、フィルタ３０やドレンパン４１の清掃等を行う場合に、着脱を容易に行なうことができる。
空気の吸気口１５、ヒートシンク１２、排気口１６を下から上へ順に並ぶように配置したので、ヒートシンク１２で加熱された空気が上昇気流となって、空気の流れを引き起こす自然対流によって空気が流れ易くなる。その結果、ヒートシンク１２から放熱し易くなり、保存庫の冷却性能を向上させることができる。
軸流送風機２０を排気口１６部分側に設けて、軸流送風機２０をヒートシンク１２と庫外室上部の排気口１６との間に設けたので、吸気口１５付近の吸い込む空気の流速を小さくすることができる。その結果、吸気口１５付近の吸い込む空気が乱れないため、ゴミや埃などを吸い上げにくくすることができる。
排気口１６を庫外室の上部後面に開設し、後方に排気するようにしたので、排気口からゴミや埃が入りにくくすることができる。
ドレンパン４１を断熱容器１の前方からスライドさせて押し込んだ時に、吸気口１５の近傍でフィルタ３０部分を上方に押し上げて吸気口１５にフィルタ３０を密着させるガイド手段８０を設けている。従って、保存庫の下部に排水口４２やネジ等の突出部分があったとしても、フィルタ３０を一体に成形したドレンパン４１を断熱容器の前方からスライドさせ、吸気口１５にスムーズに密着装着することができる。
【００３５】
図９は、この発明の実施の形態１に係る保存庫の他の例を説明するドレンパンとフィルタ一体構造物の３面図で、（ａ）上面図、（ｂ）は前面図、（ｃ）は側面図である。図５、６の例では、ドレンパン４１とフィルタ３０を別体で成形したものを係止手段７０で一体に連結したものを示したが、図９に示すようにドレンパン４１とフィルタ３０を一体に射出成形して一体に成形してもよい。
【００３６】
図１０は、この発明の実施の形態１に係る保存庫の別の例を説明するドレンパンとフィルタ一体構造物の３面図で、（ａ）上面図、（ｂ）は前面図、（ｃ）は側面図である。図５、６の例では、ドレンパン４１とフィルタ３０を別体で成形したものを係止手段７０で一体に連結した例を示した。また、図９の例では、ドレンパン４１とフィルタ３０を一体に射出成形したものを示した。本保存庫では、図１０に示すように、ドレンパン４１とフィルタ３０を別体で成形したものを接着や溶着して一体にしてもよい。
【００３７】
図５、６と図１０の例では、成形したドレンパン４１とフィルタ３０とを係止手段７０または、接着、溶着等によりドレンパン４１とフィルタ３０とを一体にしたので、ドレンパン４１とフィルタ３０とを成形する型が小さく成形が行い易いという効果がある。
【００３８】
実施の形態２．
以下、実施の形態２について説明する。実施の形態１の保存庫を木材等の板で囲われた収納ケースに収納した保存設備に関する例を図１１〜図１３に基づいて説明する。図１１は、この発明の実施の形態２に係る保存設備の断面側面図である。図１２は、この発明の実施の形態２に係る保存設備の断面平面図である。図１３は、この発明の実施の形態２に係る保存設備の正面図である。保存庫の構成、各部品の配置、動作については実施の形態１と同様であるので説明を省略する。
【００３９】
保存庫を収納するための収納ケース６０は、通常、木材等で構成されている。収納ケース６０は、上板６０ａ、底板６０ｂ、左右の側板６０ｃで箱状に形成され、底板６０ｂには、移動を容易にするためにキャスターが取付けられている。収納ケース６０は通常、保存庫の扉５を開閉できるように、前面は開放され、また、空気の出入りが可能なように、背面も開放されている。
【００４０】
保存庫を収納した収納ケースは、通常、空気の通風路を確保するために、部屋の壁から離して、設置するが、設置スペースが狭い場合には、前記収納ケースと部屋の壁の隙間が小さくなる場合がある。このような場合には、空気の通風路、特に、保存庫の吸入口１５に至るまでの通風路が小さくなり、空気が流れにくくなり、保存庫の冷却性能が低下する、といった問題点があった。
【００４１】
本発明では、保存庫の吸気口１５に対向する収納ケース６０の底板６０ｂに空気取り入れ穴６２を開口しているので、収納ケース６０が部屋の壁に近づけて設置されても、空気を保存庫の吸気口１５に導く通風路を確保することができる。
【００４２】
以上のように、この実施の形態２によれば、保存庫を箱状収納ケース６０に配設すると共に、箱状の収納ケース６０の底板に通風孔６２を設け、通風孔６２と前記保存庫の吸気口１５とヒートシンク１２が略一直線状に並ぶように配置している。従って、収納ケース６０が部屋の壁に近づけて設置されても、空気を吸気口１５へ導く通風路が確保されるので、空気が吸気口１５へ流入することが妨げられることはなく、収納ケース６０に設置されている保存庫は良好な冷却性能を維持することができる。
【００４３】
実施の形態１、２では、保存庫としてサーモモジュール１０を使用した小形の保冷庫について説明したが、同実施の形態を、冷蔵及び温蔵が可能な保存庫に適用することもできる。
【図面の簡単な説明】
【００４４】
【図１】この発明の実施の形態１に係る保存庫の前方からの外観斜視図である。
【図２】図１におけるII−II線断面図である。
【図３】この発明の実施の形態１に係る保存庫の正面図である。
【図４】図２におけるIII −III 線断面図である。
【図５】この発明の実施の形態１に係る保存庫のドレンパンとフィルタの斜視図である。
【図６】この発明の実施の形態１に係る保存庫のドレンパンとフィルタの一体化を説明する斜視図である。
【図７】この発明の実施の形態１に係る保存庫のドレンパンとフィルタの装着を説明する断面図で、（ａ）は図２に相当する断面図、（ｂ）はドレンパンとフィルタ部分の要部断面図である。
【図８】この発明の実施の形態１に係る保存庫のドレンパンとフィルタの装着を説明する保存庫を下方から見た斜視図である。
【図９】この発明の実施の形態１に係る保存庫の他の例を説明するドレンパンとフィルタ一体構造物の３面図で、（ａ）上面図、（ｂ）は前面図、（ｃ）は側面図である。
【図１０】この発明の実施の形態１に係る保存庫の別の例を説明するドレンパンとフィルタ一体構造物の３面図で、（ａ）上面図、（ｂ）は前面図、（ｃ）は側面図である。
【図１１】この発明の実施の形態２に係る保存設備の断面側面図である。
【図１２】この発明の実施の形態２に係る保存設備の断面平面図である。
【図１３】この発明の実施の形態２に係る保存設備の正面図である。
【符号の説明】
【００４５】
１  断熱容器、２  内箱、３  外箱、４  断熱材、５  扉、５ａ  外板、５ｂ  庫内側面、５ｃ  断熱材、１０  サーモモジュール、１０ａ  ペルチェ素子、１０ｂ  利用側熱交換面部、１０ｃ  熱源側熱交換面部、１１  伝熱ブロック、１２  ヒートシンク、１２ａ  アルミフィン、１３  背面カバー、１５  吸気口、１６  排気口、２０  軸流送風機、３０  フィルタ、３０ａ  フレーム、３０ｂ  ネット（網）、３１  コントロール基板、４１  ドレンパン、４２  排水口、５０  台足、５４  段差部、６０  収納ケース、６０ａ  上板、６０ｂ  底板、６０ｃ  側板、６１  キャスター、６２  通風孔、７０  係止手段、８０  ガイド手段、９０  空気の流れ。
【図１】
2006336906.tif 000003
【図２】
2006336906.tif 000004
【図３】
2006336906.tif 000005
【図４】
2006336906.tif 000006
【図５】
2006336906.tif 000007
【図６】
2006336906.tif 000008
【図７】
2006336906.tif 000009
【図８】
2006336906.tif 000010
【図９】
2006336906.tif 000011
【図１０】
2006336906.tif 000012
【図１１】
2006336906.tif 000013
【図１２】
2006336906.tif 000014
【図１３】
2006336906.tif 000015
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
収納物を所定温度に保存する断熱容器と、前記断熱容器の後壁を背面カバーで覆うことにより前記断熱容器の後壁の外側に区画形成され、吸気口と排気口とを有する庫外室と、前記庫外室内に空気を流通させる送風機と、前記庫外室に導入された前記空気と熱交換するヒートシンクと、前記断熱容器内で発生したドレン水を受けるように前記断熱容器の下方に配置され、前記断熱容器に対して前後にスライドさせて着脱するドレンパンと、前記ドレンパンの後方に一体形成され、前記ドレンパンの着脱に伴い前記庫外室の底面に開設した前記吸気口に対して着脱するフィルタとを備え、前記送風機により、前記空気を前記フィルタを通過させて前記吸気口から導入し、前記ヒートシンクを通り上方の前記排気口へ排出する通風路を形成することを特徴とする保存庫。
【請求項２】
前記送風機を前記ヒートシンクと前記庫外室上部の前記排気口との間に配設したことを特徴とする請求項１記載の保存庫。
【請求項３】
前記排気口を前記庫外室の上部後面に開設し、前記庫外室内を流通する空気を前記保存庫の後方に排気するようにしたことを特徴とする請求項１または請求項２記載の保存庫。
【請求項４】
前記ドレンパンを前記断熱容器の前方からスライドさせて押し込んだ時に、前記吸気口近傍で前記フィルタ部分を上方に押し上げて、前記吸気口に前記フィルタを密着させるガイド手段を備えたことを特徴とする請求項１から請求項３のうちのいずれか１項記載の保存庫。
【請求項５】
前記ドレンパンと前記フィルタをそれぞれ別部品として形成後、前記ドレンパンと前記フィルタとを一体に接合したことを特徴とする請求項１から請求項４のうちのいずれか１項記載の保存庫。
【請求項６】
請求項１から請求項５のうちのいずれか１項記載の保存庫を配設した箱状の収納ケースを備えたことを特徴とする保存設備。
【請求項７】
前記収納ケースの底板に通風孔を設け、前記通風孔と前記保存庫の前記吸気口と前記ヒートシンクとが略一直線状に並ぶように配置したことを特徴とする請求項６記載の保存設備。
【手続補正２】
【補正対象書類名】明細書
【補正対象項目名】全文
【補正方法】変更
【補正の内容】
【発明の詳細な説明】
【技術分野】
【０００１】
この発明は、飲料を冷却保存したり食品を低温保存したりする保存庫、及びその保存庫を収納ケース等に収納して使用する保存設備に関するものである。
【背景技術】
【０００２】
従来の飲食物等を収納した庫内をサーモモジュールにより保冷または保温する保存庫としては、例えば、収納物を所定温度に保存するための断熱容器と、この断熱容器の後壁に配設されたサーモモジュールと、このサーモモジュールの庫内側の面（利用側熱交換面部）に取付けられたアルミ系金属で形成された箱状の吸熱用の内箱と、このサーモモジュールの庫外側の面（熱源側熱交換面部）に取付けられた排熱用のヒートシンクとを有する。
そして、庫内の熱が吸熱用の内箱を介してサーモモジュールによって庫外側の面へ移動し、この移動した熱が放熱用ヒートシンクを介して庫外へ放出されるように、断熱容器の後壁の外側に吸気口、排気口を有するカバーが取付けられて通風路（庫外室）が形成されている。
カバーは庫外室の左右側面部の後方角部が、後方に向かって断熱容器の中央部へ傾斜するように形成され吸気口はその傾斜した面に設けられ、開口部には庫外室に埃が入ることを防ぐために、フィルタが配設されている。また、庫内で発生するドレンを受けるためのドレンパンが断熱容器の下方に設置されている（例えば、特許文献１参照）。
【０００３】
特許文献１記載の保存庫では、庫外室に入る空気中の埃は、フィルタで捕捉され、堆積されるため、フィルタが目詰まりして空気が流れにくくなり、冷却能力が低下する。冷却能力の低下を防ぐためには、フィルタに付着・堆積した埃を除去するために、フィルタを取り外して清掃する必要がある。
【０００４】
従来の保存庫では、空気を流通させるための送風機が吸気口近くにあると、吸気口を通過する空気の流速が速くなり、ごみなどを吸い易くなる。
また、排気口が上面、または斜め上面に向いている場合には、その排気口からごみ等の異物が入り易くなり、ヒートシンクの放熱フィンに異物が付着・堆積して空気を流れにくくする等の問題があった。
更に、ドレン水の排出口が水切り等を目的として断熱容器の底面から突き出ていたり、ネジ等が断熱容器の下方に出ている場合、ドレンパンを挿入するときにぶつかって挿入し難いという問題もあった。
【０００５】
【特許文献１】特開２０００−３０４４０１号公報
【発明の開示】
【発明が解決しようとする課題】
【０００６】
従来の保存庫は以上のように構成されていたので、フィルタが保存庫の後側に装着されているため、フィルタを取り外すには保存庫の向きを変える必要があり、また、保存庫がボックス等の収納ケース内に設置されている場合は、収納ケースから保存庫を取り出さなければならず、人手と時間がかかるという課題があった。
また、保存庫がボックス等の収納ケースに設置されると、空気の通風抵抗が大きくなって、空気が流れにくくなったり、また、排気口から排出された温度の高い排気空気の一部が再び吸気口に流入して、庫外室に流入する空気の温度が周囲温度より高くなり、結果として、冷却能力の低下の原因になるという課題があった。
【０００７】
この発明は上記のような課題を解消するためになされたもので、埃で目詰まりしたフィルタを清掃する場合に、保存庫の向きを変えたり、保存庫がボックス等の収納ケースに設置されている場合でも、保存庫をボックスから取り出したりすることなく、フィルタを容易に着脱することができる保存庫を提供することを目的とする。
また、保存庫がボックス等の収納ケースに入っている場合でも、空気の通風抵抗が大きくならず、また、排気口から排気した空気の一部が再び吸入口に流入することなく、外部の空気をスムーズに庫外室に導入させることができる保存設備を提供することを目的とする。
【課題を解決するための手段】
【０００８】
この発明に係る保存庫は、収納物を所定温度に保存する断熱容器と、前記断熱容器の後壁を背面カバーで覆うことにより前記断熱容器の後壁の外側に区画形成され、吸気口と排気口とを有する庫外室と、前記庫外室内に空気を流通させる送風機と、前記庫外室に導入された前記空気と熱交換するヒートシンクと、前記断熱容器内で発生したドレン水を受けるように前記断熱容器の下方に配置され、前記断熱容器に対して前後にスライドさせて着脱するドレンパンと、前記ドレンパンの後方に一体形成され、前記ドレンパンの着脱に伴い前記庫外室の底面に開設した前記吸気口に対して着脱するフィルタとを備え、前記送風機により、前記空気を前記フィルタを通過させて前記吸気口から導入し、前記ヒートシンクを通り上方の前記排気口へ排出する通風路を形成する。
【発明の効果】
【０００９】
この発明によれば、ドレンパンの後方に吸気口に装着するフィルタを一体に形成して、ドレンパンを断熱容器の前方から前後にスライドさせてドレンパンを断熱容器に着脱するのに伴い、フィルタを吸気口へ着脱することができる。従って、フィルタやドレンパンの清掃等を行う場合に、着脱を容易に行なうことができる。
空気の吸気口、ヒートシンク、排気口を下から上へ順に並ぶように配置したので、ヒートシンクで加熱された空気が上昇気流となって、空気の流れを引き起こす自然対流によって空気が流れ易くなる。その結果、ヒートシンクから放熱し易くなり、保存庫の冷却性能を向上させることができる。
【発明を実施するための最良の形態】
【００１０】
実施の形態１．
以下、この発明の実施の形態１について説明する。図１は、この発明の実施の形態１に係る保存庫の前方からの外観斜視図である。図２は、図１におけるII−II線断面図である。図３は、この発明の実施の形態１に係る保存庫の正面図である。図４は、図２におけるIII −III 線断面図である。図５は、この発明の実施の形態１に係る保存庫のドレンパンとフィルタの斜視図である。
【００１１】
先ず、本保存庫の構成について図１〜図５を用いて説明する。実施の形態１では、保存庫としてサーモモジュール１０を使用した冷蔵庫を示している。断熱容器１は、内箱２、外箱３、内箱２と外箱３との間に介在するように注入された断熱材４を備えている。内箱２は、熱伝導性がよく腐食に強いアルミ系金属板で形成されている。また、断熱容器１の正面部には開放口が設けられており、この開放口に開閉扉５が設けられている。
【００１２】
サーモモジュール１０は、ペルチェ素子１０ａ、利用側熱交換面部１０ｂ及び熱源側熱交換面部１０ｃを備えている。断熱容器１の後壁において、サーモモジュール１０と略同じ大きさの収納穴が外箱３、断熱材４を貫通し、内箱２を成す金属板を残して形成され、この収納穴内にサーモモジュール１０が配設されている。また、サーモモジュール１０と、内箱２との間に熱伝導性のよいアルミ系合金の伝熱ブロック１１を介在させ、伝熱ブロック１１を内箱２にネジ止めにより熱伝導される状態に接合している。また、サーモモジュール１０の利用側熱交換面部１０ｂと内箱２とをこの伝熱ブロックを介し伝熱可能に接合している。なお、伝熱ブロック１１は、断熱材４の注入により断熱容器１に一体的に固定されている。この伝熱ブロック１１に対し、サーモモジュール１０は、ネジ等により後面側から着脱自在に固定されている。
【００１３】
ヒートシンク１２は、サーモモジュール１０の熱源側熱交換面部１０ｃと熱伝導的に接合されている。ヒートシンク１２は、下側から上側へ縦方向に空気を流通させて熱交換させるように、多数のアルミフィン１２ａが縦方向に配置されている。
【００１４】
背面カバー１３は、ヒートシンク１２を覆い、制御回路構成機器を配設したコントロール基板３１を囲うように折り曲げた構造をしている。そして、風路を形成すると共に、断熱容器１の背面全体をカバーし、断熱容器の後壁外側に庫外室を形成する。
【００１５】
吸気口１５は、背面カバー１３の下部、ヒートシンク１２の下側に位置するように、また、断熱容器１の底面と略同じ面内に位置するように設けられている。
また、排気口１６は、背面カバー１３の後面上部、ヒートシンク１２と略同じ線上で、ヒートシンク１２を通過した空気の流れを遮らないように、ヒートシンク１２の上部から離れた位置に形成されている。
背面カバー１３の上部に位置する排気口１６には、断熱容器１の後ろに向けて空気を排気するように軸流送風機２０が取り付けられている。
【００１６】
排水口４２は、断熱容器１の底部に設けられている。そして、内箱２の内面に形成されたドレン水を、断熱容器１の下方に配設された皿状のドレンパン４１に導く。
【００１７】
台足５０は、図２、図３に示すように、断熱容器１の底面において前後及び左右の合計４箇所に配置されている。台足５０は、それぞれが段差部５４を形成している。そして、この左右の台足５０の段差部５４が向き合うように配置されている。
【００１８】
ドレンパン４１は、図５に示すように、水平面形状が略Ｔ字型を成し、前部の幅寸法を後部の幅寸法より大きくして、ドレン収容量を多くできるようにしている。また、図３に示すように、左右台足５０の段差部５４間の寸法Ｌが、ドレンパン４１の後部幅寸法より若干大きく形成されている。このように構成されていることにより、ドレンパン４１は、その後部が台足５０の段差部５４と断熱容器１の底面との間に前後出し入れ自在にスライド式に挿入されて、取付けられている。
【００１９】
更に、ドレンパン４１は、後部を延設して、庫外室の底面に開設した吸気口１５を覆うようにフレーム３０ａを設け、吸気口１５を空気が流通できるように、かつ、ヒートシンク１２に流入する空気の中に混入する埃等を除去できるように、ネット（網）３０ｂを設けてドレンパン４１と一体にフィルタ３０を構成している。
【００２０】
図６は、この発明の実施の形態１に係る保存庫のドレンパンとフィルタの一体化を説明する斜視図である。ドレンパン４１とフィルタ３０との一体に構成する手段として、図５と図６に示すように、それぞれ別体で成形したドレンパン４１とフィルタ３０とを、フィルタ３０に形成したドレンパン４１の後部に係止する複数の爪形状等の係止手段７０により一体に連結されるようにしている。ドレンパン４１とフィルタ３０とを別々に形成してから一体にしているので、ドレンパン４１とフィルタ３０それぞれを成形する型が小さくてすむ。その結果、成形し易く、ドレンパン４１とフィルタ３０の寸法精度も良くなるという効果がある。
【００２１】
断熱容器１正面の開閉扉５は、内部に中空空間部を備えた外板５ａの中空内部に断熱材５ｃを注入することによって、断熱性能を備えている。庫内側面５ｂは、外板５ａのうち庫内に面する部分である。
【００２２】
実施の形態１は上記のように構成されているので、空気はヒートシンク１２の下部に開口した吸気口１５から流入し、ヒートシンク１２の放熱フィン１２ａの間を通り、排気口１６から流出する。この流れは、下から上に向かって流れるので、自然対流による空気の駆動力によって流通がスムーズに行われる。
【００２３】
また、吸気口１５を覆うフィルタ３０はドレンパン４１と一体に成形され、台足５０で支持されているので、保存庫を収納ケースから出したり、保存庫の方向を変えなくても、ドレンパン取っ手４１ａを掴んで、容易に出し入れができる。
【００２４】
次に、動作について説明する。サーモモジュール１０へ直流電流が印加され、サーモモジュール１０の利用側熱交換面部１０ｂで吸熱作用が行われると共に、軸流送風機２０が運転されて、図２の矢印で示す空気の流れ９０に示すように、空気がフィルタ３０を通過して、吸気口１５から吸入され、背面カバー１３内を流通し、排気口１６から排出される。
【００２５】
従って、断熱容器１内では、伝熱ブロック１１を介して断熱容器１の内箱２が冷却され、断熱容器１内が所定温度にコントロールされる。
【００２６】
サーモモジュール１０の熱源側熱交換面部１０ｃでは、放熱がヒートシンク１２を介し背面カバー１３内を流通する空気との間で行われ、断熱容器１内で吸熱された熱量分が空気に対し放熱される。
【００２７】
空気がフィルタ３０を通過するときに、空気に含まれる埃はフィルタ３０に捕捉される。フィルタ３０に埃が堆積すれば、フィルタ３０を取り外して清掃し、ドレンパン４１にドレン水が溜まれば、ドレンパン４１を引き出してドレン水を廃棄することになる。
【００２８】
庫内設定温度が低い場合には、断熱容器１内が内箱２の表面から冷却されることにより、内箱２表面に結露してドレン水が内箱２底表面に落下して、排水口４２からドレンパン４１に排水される。
【００２９】
実施の形態１では、上記のようにフィルタ３０がドレンパン４１と一体に形成され、台足５０の段差部５４で支持されると共に、スライド自在に取付けられている。従って、保存庫の前方からドレンパン４１を保存庫の前方へ引き出すことで、フィルタ３０も一緒に保存庫から取り外すことができる。また、ドレンパン４１のスライドに別部品を設けることなく台足５０を利用しているので、安価にできるという効果がある。
また、ヒートシンク１２より上部に位置するように、排気口１６を開設した背面カバー１３の排気口１６の内側に軸流送風機２０を設置するようにし、排気口１６を庫外室の上部に開設し、空気を保存庫の後方に排気するようにしている。
【００３０】
図７は、この発明の実施の形態１に係る保存庫のドレンパンとフィルタの装着を説明する断面図で、（ａ）は図２に相当する断面図、（ｂ）はドレンパンとフィルタ部分の要部断面図である。図８はこの発明の実施の形態１に係る保存庫のドレンパンとフィルタの装着を説明する保存庫を下方から見た斜視図である。
【００３１】
図７と図８に示すように、背面カバー１３に開設した吸気口１５の両側に斜めにスライドできるガイド手段８０を設け、ドレンパン４１と一体に構成されたフィルタ３０を挿入するときに、先ず、フィルタ３０の先端がガイド手段８０にあたり、フィルタ３０を更に保存庫前方から押し込むことにより、フィルタ３０の先端部分はガイド手段８０に沿って上方に移動し、最終的に、吸気口１５にフィルタ３０が密着して覆うように装着されるようにしている。
【００３２】
図７（ｂ）に動作を示すように、ガイド手段８０は、ドレンパン４１を断熱容器１の前方からスライドさせて押し込んだ時に、ドレン水の排水口４２より後方の吸気口１５近傍でフィルタ３０部分を上方に押し上げて吸気口１５にフィルタ３０を密着させる。従って、保存庫の下部に排水口４２やネジ等の突出部分があったとしても、フィルタ３０が突出部分を通過する際には、フィルタ３０を突出部分より下方に位置させて、ドレンパン４１に一体に形成したフィルタ３０を断熱容器１の前方からスライドさせてスムーズに着脱できる。また、フィルタ３０を吸気口１５に密着できるように吸気口１５付近で押し上げて吸気口１５にフィルタ３０を装着することができる。
【００３３】
その結果、フィルタ３０と吸気口１５との隙間からゴミ等の侵入が防止される。また、フィルタ３０が上方に移動する分だけ吸気口１５の開口面を上方に配置して保存庫を設置する床面から吸気口１５までの間を広くできるので、空気を吸気口１５から吸い込み易いという効果もある。
【００３４】
以上のように、この実施の形態１によれば、吸気口１５を庫外室の底面に開設し、ドレンパン４１の後方に吸気口１５に装着するフィルタ３０を一体に形成して、ドレンパン４１を断熱容器１の前方から前後にスライドさせてドレンパン４１を断熱容器１に着脱することに伴い、フィルタ３０を吸気口１５へ着脱することができる。従って、フィルタ３０やドレンパン４１の清掃等を行う場合に、着脱を容易に行なうことができる。
空気の吸気口１５、ヒートシンク１２、排気口１６を下から上へ順に並ぶように配置したので、ヒートシンク１２で加熱された空気が上昇気流となって、空気の流れを引き起こす自然対流によって空気が流れ易くなる。その結果、ヒートシンク１２から放熱し易くなり、保存庫の冷却性能を向上させることができる。
軸流送風機２０を排気口１６部分側に設けて、軸流送風機２０をヒートシンク１２と庫外室上部の排気口１６との間に設けたので、吸気口１５付近の吸い込む空気の流速を小さくすることができる。その結果、吸気口１５付近の吸い込む空気が乱れないため、ゴミや埃などを吸い上げにくくすることができる。
排気口１６を庫外室の上部後面に開設し、後方に排気するようにしたので、排気口からゴミや埃が入りにくくすることができる。
ドレンパン４１を断熱容器１の前方からスライドさせて押し込んだ時に、吸気口１５の近傍でフィルタ３０部分を上方に押し上げて吸気口１５にフィルタ３０を密着させるガイド手段８０を設けている。従って、保存庫の下部に排水口４２やネジ等の突出部分があったとしても、フィルタ３０を一体に成形したドレンパン４１を断熱容器の前方からスライドさせ、吸気口１５にスムーズに密着装着することができる。
【００３５】
図９は、この発明の実施の形態１に係る保存庫の他の例を説明するドレンパンとフィルタ一体構造物の３面図で、（ａ）上面図、（ｂ）は前面図、（ｃ）は側面図である。図５、６の例では、ドレンパン４１とフィルタ３０を別体で成形したものを係止手段７０で一体に連結したものを示したが、図９に示すようにドレンパン４１とフィルタ３０を一体に射出成形して一体に成形してもよい。
【００３６】
図１０は、この発明の実施の形態１に係る保存庫の別の例を説明するドレンパンとフィルタ一体構造物の３面図で、（ａ）上面図、（ｂ）は前面図、（ｃ）は側面図である。図５、６の例では、ドレンパン４１とフィルタ３０を別体で成形したものを係止手段７０で一体に連結した例を示した。また、図９の例では、ドレンパン４１とフィルタ３０を一体に射出成形したものを示した。本保存庫では、図１０に示すように、ドレンパン４１とフィルタ３０を別体で成形したものを接着や溶着して一体にしてもよい。
【００３７】
図５、６と図１０の例では、成形したドレンパン４１とフィルタ３０とを係止手段７０または、接着、溶着等によりドレンパン４１とフィルタ３０とを一体にしたので、ドレンパン４１とフィルタ３０とを成形する型が小さく成形が行い易いという効果がある。
【００３８】
実施の形態２．
以下、実施の形態２について説明する。実施の形態１の保存庫を木材等の板で囲われた収納ケースに収納した保存設備に関する例を図１１〜図１３に基づいて説明する。図１１は、この発明の実施の形態２に係る保存設備の断面側面図である。図１２は、この発明の実施の形態２に係る保存設備の断面平面図である。図１３は、この発明の実施の形態２に係る保存設備の正面図である。保存庫の構成、各部品の配置、動作については実施の形態１と同様であるので説明を省略する。
【００３９】
保存庫を収納するための収納ケース６０は、通常、木材等で構成されている。収納ケース６０は、上板６０ａ、底板６０ｂ、左右の側板６０ｃで箱状に形成され、底板６０ｂには、移動を容易にするためにキャスターが取付けられている。収納ケース６０は通常、保存庫の扉５を開閉できるように、前面は開放され、また、空気の出入りが可能なように、背面も開放されている。
【００４０】
保存庫を収納した収納ケースは、通常、空気の通風路を確保するために、部屋の壁から離して、設置するが、設置スペースが狭い場合には、前記収納ケースと部屋の壁の隙間が小さくなる場合がある。このような場合には、空気の通風路、特に、保存庫の吸入口１５に至るまでの通風路が小さくなり、空気が流れにくくなり、保存庫の冷却性能が低下する、といった問題点があった。
【００４１】
本発明では、保存庫の吸気口１５に対向する収納ケース６０の底板６０ｂに空気取り入れ穴６２を開口しているので、収納ケース６０が部屋の壁に近づけて設置されても、空気を保存庫の吸気口１５に導く通風路を確保することができる。
【００４２】
以上のように、この実施の形態２によれば、保存庫を箱状収納ケース６０に配設すると共に、箱状の収納ケース６０の底板に通風孔６２を設け、通風孔６２と前記保存庫の吸気口１５とヒートシンク１２が略一直線状に並ぶように配置している。従って、収納ケース６０が部屋の壁に近づけて設置されても、空気を吸気口１５へ導く通風路が確保されるので、空気が吸気口１５へ流入することが妨げられることはなく、収納ケース６０に設置されている保存庫は良好な冷却性能を維持することができる。
【００４３】
実施の形態１、２では、保存庫としてサーモモジュール１０を使用した小形の保冷庫について説明したが、同実施の形態を、冷蔵及び温蔵が可能な保存庫に適用することもできる。
【図面の簡単な説明】
【００４４】
【図１】この発明の実施の形態１に係る保存庫の前方からの外観斜視図である。
【図２】図１におけるII−II線断面図である。
【図３】この発明の実施の形態１に係る保存庫の正面図である。
【図４】図２におけるIII −III 線断面図である。
【図５】この発明の実施の形態１に係る保存庫のドレンパンとフィルタの斜視図である。
【図６】この発明の実施の形態１に係る保存庫のドレンパンとフィルタの一体化を説明する斜視図である。
【図７】この発明の実施の形態１に係る保存庫のドレンパンとフィルタの装着を説明する断面図で、（ａ）は図２に相当する断面図、（ｂ）はドレンパンとフィルタ部分の要部断面図である。
【図８】この発明の実施の形態１に係る保存庫のドレンパンとフィルタの装着を説明する保存庫を下方から見た斜視図である。
【図９】この発明の実施の形態１に係る保存庫の他の例を説明するドレンパンとフィルタ一体構造物の３面図で、（ａ）上面図、（ｂ）は前面図、（ｃ）は側面図である。
【図１０】この発明の実施の形態１に係る保存庫の別の例を説明するドレンパンとフィルタ一体構造物の３面図で、（ａ）上面図、（ｂ）は前面図、（ｃ）は側面図である。
【図１１】この発明の実施の形態２に係る保存設備の断面側面図である。
【図１２】この発明の実施の形態２に係る保存設備の断面平面図である。
【図１３】この発明の実施の形態２に係る保存設備の正面図である。
【符号の説明】
【００４５】
１  断熱容器、２  内箱、３  外箱、４  断熱材、５  扉、５ａ  外板、５ｂ  庫内側面、５ｃ  断熱材、１０  サーモモジュール、１０ａ  ペルチェ素子、１０ｂ  利用側熱交換面部、１０ｃ  熱源側熱交換面部、１１  伝熱ブロック、１２  ヒートシンク、１２ａ  アルミフィン、１３  背面カバー、１５  吸気口、１６  排気口、２０  軸流送風機、３０  フィルタ、３０ａ  フレーム、３０ｂ  ネット（網）、３１  コントロール基板、４１  ドレンパン、４２  排水口、５０  台足、５４  段差部、６０  収納ケース、６０ａ  上板、６０ｂ  底板、６０ｃ  側板、６１  キャスター、６２  通風孔、７０  係止手段、８０  ガイド手段、９０  空気の流れ。